(57)【要約】【課題】柔軟性と反発力と復元性とを有するプラスチック素材を使用し、あらゆる方向に対して瞬間的に衝撃を吸収・緩和することができる靴中敷きを提供する。【解決手段】靴中敷きの本体部１０の材質は柔軟性と反発力と復元性とを有するプラスチック素材を使用し、本体部１０の厚みを１．５ｍｍ〜３．０ｍｍの範囲に設定し、本体部１０をアーチコントロールができる形状に形成した。本体部１０の踵部分の下側にプラスチック素材からなるＵ字形縁部を備えた踵部を本体部１０と一体に形成し、踵部のＵ字形縁部の側面から本体部１０の踵部分の下面に繋がる領域に連続する溝部２２ａ、２２ｂを周設した。【選択図】図３
2008005942.tif 000002
【特許請求の範囲】
【請求項１】
靴の内底部に装入されて使用される靴中敷きにおいて、前記靴中敷きの本体部の材質は柔軟性と反発力と復元性とを有するプラスチック素材を使用すると共に、前記本体部の厚みを１．５ｍｍ〜３．０ｍｍの範囲に設定し、前記本体部をアーチコントロールができる形状に形成したことを特徴とする靴中敷き。
【請求項２】
請求項１に記載の前記靴中敷きの前記本体部の踵部分の下側に前記プラスチック素材からなるＵ字形縁部を備えた踵部を当該本体部と一体に形成し、前記踵部のＵ字形縁部の側面から前記本体部の踵部分の下面に繋がる領域に当該Ｕ字形縁部の一端から他端まで連続する溝部を周設したことを特徴とする靴中敷き。
【請求項３】
請求項２に記載の前記溝部に沿って衝撃吸収材を埋め込んだことを特徴とする靴中敷き。
【請求項４】
請求項２又は請求項３に記載の前記踵部の前記Ｕ字形縁部の底面に当該Ｕ字形縁部の一端から他端まで連続する凹部を周設し、前記凹部の深さを２．０ｍｍ〜３．０ｍｍの範囲に設定し、前記凹部内に衝撃吸収材を装着したことを特徴とする靴中敷き。
【請求項５】
請求項４に記載の前記凹部のインサイド側とアウトサイド側に硬さの異なった衝撃吸収材を装着したことを特徴とする靴中敷き。
【発明の詳細な説明】
【技術分野】
【０００１】
本発明は、柔軟性と反発力と復元性とを有するプラスチック素材を使用し、あらゆる方向に対して衝撃を緩和することができる靴中敷きに関する。
【背景技術】
【０００２】
従来から靴中敷きは、通気性、抗菌、防臭、衝撃吸収、快適なフィット感、アーチサポート、フレックス、反発性などの機能を発揮するものであるが、その中でも通気性、抗菌、防臭、衝撃吸収などの機能が重視されている。
また、クッション性、フィット性、安定性に優れた靴中敷きについては、以下に示すような先行技術が提案されている。
【０００３】
実開平７−３９５１１号公報には、靴内部に装着するカップインソールであって、弾性素材からなるカップインソール本体の底面は靴内底面にフィットする形状であり、踵部上面は、平坦部と、内甲踏まず部から踵後部を経て外甲側部へ至る側壁部が連続的に形成された凹曲面状を呈しており、前記側壁部の上面にはバウンシングパテを用いた衝撃緩衝材（スポンジ）が設置され、布帛、不織布、皮革、のいずれか一によって被覆係止された構成からなるカップインソールが開示されている（特許文献１）。
【０００４】
また、実開平６−２６５１１号公報には、多数の透孔を備えたスポンジ板を基板上に固着し、該スポンジ板上にはウレタンフォーム板を固着し、該ウレタンフォーム板上には多数の小孔を備えた表面カバーを被覆させた履物のインソールが開示されている（特許文献２）。
【０００５】
また、特開２００５−２０５２０４号公報には、足底を靴の中底に完全にフィットさせ、歩行時に足底に負荷される衝撃を緩衝させ踵骨の回外位と回内位を防止することを目的とし、カップインソールを本体部材、本体部材支持部材、踵部対応部材から構成し、カップインソールを高密度低反発性ウレタンで成形し、踵部対応部材の踵に相当する箇所に高反発性ウレタン製部品を嵌合し、本体部材の底部から、内側アーチ保護部材と、外側アーチ保護部材と、第２踵部保護部材それぞれ連結して一体に立設し、第２ミッドフット部対応部を、本体部材支持部材の左右両側から幅方向中央に向かって、且つ、踵方向及び踏み付け部の両方から中央に向かって盛高構造にし、第２ミッドフット部対応部に、垂直方向に貫通孔を有し本体部材に穿設した挿入孔に挿入される少なくとも１個の突起を突設させるカップインソールが開示されている（特許文献３）。
【０００６】
また、特開２００５−２０４９０２号公報には、運動性と衝撃緩和性とに優れたインソールであって、ベースと、このベースとは材質の異なる指球部及び踵部を備えており、この指球部の材質と踵部の材質とが互いに異なるインソールが開示されている（特許文献４）。
【０００７】
また、特開平１０−２９５４０９号公報には、靴の中敷きの通気性を向上させて足の蒸れをなくすることを目的とし、一層以上を積層したクッション材と、その表面に結合されたダブルラッセルメッシュ層とよりなり、特にクッション材は、足裏の凹凸に添った形状を有するエチレン−ビニルアセテート共重合体の層と、その表面に結合された発泡性ラテックス層と、さらにその表面に結合された開放気泡性のウレタンフォーム層とよりなる中敷きが開示されている（特許文献５）。
【０００８】
【特許文献１】実開平７−３９５１１号公報
【特許文献２】実開平６−２６５１１号公報
【特許文献３】特開２００５−２０５２０４号公報
【特許文献４】特開２００５−２０４９０２号公報
【特許文献５】特開平１０−２９５４０９号公報
【発明の開示】
【発明が解決しようとする課題】
【０００９】
従来の靴中敷きの材質には、クッション性に優れたスポンジ素材が多く使用されている。しかし、スポンジ素材はプラスチック素材と比べると柔軟性、反発力、復元性に劣るため、足の動きにマッチせず、運動を抑制する可能性があるという問題を有している。
ここで、靴中敷きの材質にプラスチック素材を使用するメリットは、足に密着し、靭帯や筋肉と協調的に動き、足の運動を抑制することなく働きかけるため、より自然な運動が行えることにある。しかし、プラスチック素材の厚みが厚過ぎると足の靭帯や筋肉を固定しすぎるため、運動を抑制してしまう。一方、プラスチック素材の厚みが薄過ぎると、プラスチックに強度が出ないため足をコントロールすることができなくなる。
【００１０】
そこで、本発明は、このような問題を解決するためになされたものであり、柔軟性と反発力と復元性とを有するプラスチック素材を使用し、あらゆる方向に対して瞬間的に衝撃を吸収・緩和することができる靴中敷きを提供することを目的とする。
【課題を解決するための手段】
【００１１】
上記課題を解決するために、請求項１に記載の発明は、靴の内底部に装入されて使用される靴中敷きにおいて、前記靴中敷きの本体部の材質は柔軟性と反発力と復元性とを有するプラスチック素材を使用すると共に、前記本体部の厚みを１．５ｍｍ〜３．０ｍｍの範囲に設定し、前記本体部をアーチコントロールができる形状に形成した構成を採用したのである。
【００１２】
また、請求項２に記載の発明は、請求項１に記載の発明において、前記靴中敷きの前記本体部の踵部分の下側に前記プラスチック素材からなるＵ字形縁部を備えた踵部を当該本体部と一体に形成し、前記踵部のＵ字形縁部の側面から前記本体部の踵部分の下面に繋がる領域に当該Ｕ字形縁部の一端から他端まで連続する溝部を周設したことを特徴とする。
【００１３】
また、請求項３に記載の発明は、請求項２に記載の発明において、前記溝部に沿って衝撃吸収材を埋め込んだことを特徴とする。
【００１４】
また、請求項４に記載の発明は、請求項２又は請求項３に記載の前記踵部の前記Ｕ字形縁部の底面に当該Ｕ字形縁部の一端から他端まで連続する凹部を周設し、前記凹部の深さを２．０ｍｍ〜３．０ｍｍの範囲に設定し、前記凹部内に衝撃吸収材を装着したことを特徴とする。
【００１５】
また、請求項５に記載の発明は、請求項４に記載の前記凹部のインサイド側とアウトサイド側に硬さの異なった衝撃吸収材を装着したことを特徴とする。
【発明の効果】
【００１６】
以上のように、請求項１に記載の発明によれば、靴中敷きの本体部の材質は柔軟性と反発力と復元性とを有するプラスチック素材を使用し、本体部の厚みを１．５ｍｍ〜３．０ｍｍの範囲に設定し、本体部をアーチコントロールができる形状に形成したことにより、靴中敷きが足に密着し、靭帯や筋肉と協調的に動き、足の運動を抑制することなく働きかけるため、より自然な運動が行える。
【００１７】
また、請求項２に記載の発明によれば、踵部のＵ字形縁部の側面から本体部の踵部分の下面に繋がる領域に連続する溝部を周設したことにより、溝部があらゆる方向（縦、横、斜め）に対して瞬間的に衝撃を吸収・緩和することができる。更に、請求項３に記載の発明によれば、溝部に沿って衝撃吸収材を埋め込んだことにより、衝撃吸収性と安定性が向上する。
【００１８】
また、請求項４に記載の発明によれば、踵部のＵ字形縁部の底面に連続する凹部を周設し、凹部の深さを２．０ｍｍ〜３．０ｍｍの範囲に設定し、凹部内に衝撃吸収材を装着したことにより、安定感が高まり、歩行時に踵のぐらつきを抑えることで常に一定の歩行が可能になる。更に、請求項５に記載の発明によれば、凹部のインサイド側とアウトサイド側に硬さの異なった衝撃吸収材を装着したことにより、扁平足又はＯ脚、膝痛などに対して効果を奏する。
ここで、歩行バランスのコントロールについては、歩行前半（着地時）におけるコントロールと歩行後半（蹴りだし時）におけるコントロールの大きく２つに分けられる。本願出願人は歩行後半（蹴りだし時）におけるコントロールに寄与する「靴中敷き」を既に発明し特許を取得している（特許第３６６２０１４号、登録日平成１７年４月１日）。一方、本発明にかかる靴中敷きは、歩行前半（着地時）におけるコントロールに寄与するものであり、足の大きな骨格に荷重がもっともかかりやすい着地時に影響を与えるため、歩行後半（蹴りだし時）よりも歩行バランスのコントロール効果が大きい。
【発明を実施するための最良の形態】
【００１９】
以下、本発明の実施の一形態について、図面を参酌しながら説明する。
【００２０】
図１は、本発明にかかる靴中敷き（左足用）の一例を示す斜視図である。
【００２１】
図１に示すように、本発明にかかる靴中敷きは、本体部１０の踵部分にＵ字形縁部を備えた踵部２０が本体部１０と一体に形成されている。本体部１０と踵部２０の材質には、柔軟性と反発力と復元性とを有するプラスチック素材が使用される。
【００２２】
図２は、図１に示す靴中敷きの底面図である。図３は、図２に示す靴中敷きのＡ−Ａ拡大断面図である。図４は、図２に示す靴中敷きのＢ−Ｂ断面図である。図５は、図１に示す靴中敷きのアウトサイド側の側面図である。図６は、図１に示す靴中敷きのインサイド側の側面図である。
【００２３】
図３乃至図６に示すように、本発明にかかる靴中敷きは、本体部１０の厚みが１．５ｍｍ〜３．０ｍｍの範囲に設定されている。本体部１０の足裏にあたる表面がアーチコントロールできる形状（インサイド側の縁部１１ａからアウトサイド側の縁部１１ｂにわたり足のアーチを支えて足に密着する形状）に形成されている。
踵部２０のＵ字形縁部の側面２１から本体部１０の踵部分の下面に繋がる領域にＵ字形縁部の一端から他端まで連続する溝部２２が周設されている。この溝部２２によって、あらゆる方向（縦、横、斜め）に対して瞬間的に衝撃を吸収・緩和することができる。
また、溝部２２には、衝撃吸収性と安定性を向上させるため衝撃吸収材（図示省略）を埋め込んでも良い。
踵部２０のＵ字形縁部の底面には、Ｕ字形縁部の一端から他端まで連続する凹部２３が周設されている。凹部２３の深さが２．０ｍｍ〜３．０ｍｍの範囲に設定されている。
上記凹部２３内には、衝撃吸収材（図７に示す記号３０・３１、図８に示す記号３２・３３）が装着される。これにより、安定感が高まり、歩行時に踵のぐらつきを抑える。歩行時の足裏の重心位置を考えた場合、衝撃吸収材を図に示す位置に装着するのが最も効果を奏すると考えられる。
上記衝撃吸収材は、ポリウレタン、ゴム、ラバー、ＥＶＡスポンジなど衝撃吸収効果を奏するものであれば素材は限定されない。
また、図７及び図８に示すように、凹部２３のインサイド側とアウトサイド側には、バランスを変化させるため硬さの異なった衝撃吸収材（ハード素材３０とソフト素材３１、ソフト素材３２とハード素材３３）を装着しても良い。
【００２４】
（第一実施例）
本体部１０の踵部分にＵ字形縁部を備えた踵部２０が本体部１０と一体に形成されている。本体部１０と踵部２０の材質には、柔軟性と反発力と復元性とを有するプラスチック素材が使用される。本体部１０の厚みが１．５ｍｍ〜３．０ｍｍの範囲に設定されている。本体部１０の足裏にあたる表面がアーチコントロールできる形状に形成されている。
踵部２０のＵ字形縁部の側面２１から本体部１０の踵部分の下面に繋がる領域にＵ字形縁部の一端から他端まで連続する溝部２２が周設されている。この溝部２２によって、あらゆる方向（縦、横、斜め）に対して瞬間的に衝撃を吸収・緩和することができる。
【００２５】
（第二実施例）
第一実施例と同様に連続する溝部２２が周設され、この溝部２２に衝撃吸収材（図示省略）が埋め込まれている。この溝部２２と衝撃吸収材によって、衝撃吸収性と安定性が向上する。
【００２６】
（第三実施例）
第一実施例又は第二実施例において説明した靴中敷きの踵部２０のＵ字形縁部の底面には、Ｕ字形縁部の一端から他端まで連続する凹部２３が周設されている。凹部２３の深さが２．０ｍｍ〜３．０ｍｍの範囲に設定されている。この凹部２３内には衝撃吸収材（図７に示す記号３０・３１）が装着される。
インサイド側の凹部２３（図３に示す記号２３ａ）にハード素材からなる衝撃吸収材（図７に示す記号３０）を装着する。一方、アウトサイド側の凹部２３（図３に示す記号２３ｂ）にソフト素材からなる衝撃吸収材（図７に示す記号３１）を装着する。この場合、インサイド側のアーチサポートが強くなり膝が内側に内転することが抑えられるため、扁平足や膝痛などに対して効果を奏する。
ここで、ソフト素材とは、衝撃吸収性に非常に優れ、足の沈み込みを感じる素材を指す。また、ハード素材とは、足に負担をかけない程度に反発力があり、足を下から支える感じがある素材を指す。また、ソフト素材とハード素材の硬度に関しては、ソフト素材の硬度はＡＳＴＭ（Ａｍｅｒｉｃａｎ  Ｓｏｃｉｅｔｙ  Ｆｏｒ  Ｔｅｓｔｉｎｇ  ａｎｄ  Ｍａｔｅｒｉａｌｓ、米国材料試験協会の略称）規格に基づくＡＳＴＭＤ２２４０のスケールで５５〜７５度であることが適している。一方、ハード素材の硬度は、同スケールで６０〜８０度であることが適している。したがって、ソフト素材とハード素材の硬度差は同スケールで少なくとも５度以上であることが好ましい。なお、上記スケールに使用した具体的な計測器は、米国のＰａｃｉｆｉｃ  Ｔｒａｎｓｄｕｃｅｒ  Ｃｏｒｐ．製のＤｕｒｏｍｅｔｅｒｓ／ＰＴＣ（登録商標）４００ＳＥＲＩＥＳ／Ｍｏｄｅｌ４１１／Ｔｙｐｅ００である。
【００２７】
（第四実施例）
第一実施例又は第二実施例において説明した靴中敷きの踵部２０のＵ字形縁部の底面には、Ｕ字形縁部の一端から他端まで連続する凹部２３が周設されている。凹部２３の深さが２．０ｍｍ〜３．０ｍｍの範囲に設定されている。この凹部２３内には衝撃吸収材（図８に示す記号３２・３３）が装着される。
アウトサイド側の凹部２３（図３に示す記号２３ｂ）にハード素材からなる衝撃吸収材（図８に示す記号３３）を装着する。一方、インサイド側の凹部２３（図３に示す記号２３ａ）にソフト素材からなる衝撃吸収材（図８に示す記号３２）を装着する。この場合、アウトサイド側のアーチサポートが強くなり膝が外側に外転することが抑えられるため、Ｏ脚や膝痛などに対して効果を奏する。
また、ソフト素材とハード素材の硬度に関しては、第三実施例と同様にそれぞれの硬度範囲内のものを適宜選択できるが、ソフト素材とハード素材の硬度差は同スケールで少なくとも５度以上であることが好ましい。
【図面の簡単な説明】
【００２８】
【図１】本発明にかかる靴中敷き（左足用）の一例を示す斜視図である。
【図２】図１に示す靴中敷きの底面図である。
【図３】図２に示す靴中敷きのＡ−Ａ拡大断面図である。
【図４】図２に示す靴中敷きのＢ−Ｂ断面図である。
【図５】図１に示す靴中敷きのアウトサイド側の側面図である。
【図６】図１に示す靴中敷きのインサイド側の側面図である。
【図７】図１に示す靴中敷きのインサイド側の凹部にハード素材、アウトサイド側の凹部にソフト素材を装着した状態を示す斜視図である。
【図８】図１に示す靴中敷きのインサイド側の凹部にソフト素材、アウトサイド側の凹部にハード素材を装着した状態を示す斜視図である。
【符号の説明】
【００２９】
１０  本体部
１１  縁部
２０  踵部
２１  側面
２２  溝部
２３  凹部
３０、３３  ハード素材
３１、３２  ソフト素材
【図１】
2008005942.tif 000003
【図２】
2008005942.tif 000004
【図３】
2008005942.tif 000005
【図４】
2008005942.tif 000006
【図５】
2008005942.tif 000007
【図６】
2008005942.tif 000008
【図７】
2008005942.tif 000009
【図８】
2008005942.tif 000010
【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
靴の内底部に装入されて使用される靴中敷きにおいて、前記靴中敷きの本体部の材質は柔軟性と反発力と復元性とを有するプラスチック素材を使用すると共に前記本体部の厚みを１．５ｍｍ〜３．０ｍｍの範囲に設定し、前記本体部をアーチコントロールができる形状に形成すると共に前記本体部の踵部分から土踏まず部分近傍に至るまでの下方領域に前記プラスチック素材からなるＵ字形縁部を備えた踵部を当該本体部と一体に形成し、前記Ｕ字形縁部の外側を水平方向に突出させて前記踵部下面を平面状に形成すると共に前記Ｕ字形縁部の水平方向に突出した縁部外側上面から本体部の踵部分の斜め下方向に傾斜する下面に繋がる領域に当該Ｕ字形縁部の一端から他端まで連続する溝部を周設したことを特徴とする靴中敷き。
【請求項２】
請求項１に記載の前記溝部に沿って衝撃吸収材を埋め込んだことを特徴とする靴中敷き。
【請求項３】
請求項１又は請求項２に記載の前記Ｕ字形縁部の平面状の踵部下面に当該Ｕ字形縁部の一端から他端まで連続する凹部を周設し、前記凹部の深さを２．０ｍｍ〜３．０ｍｍの範囲に設定し、前記凹部内に衝撃吸収材を装着したことを特徴とする靴中敷き。
【請求項４】
請求項３に記載の前記凹部のインサイド側とアウトサイド側に硬さの異なった衝撃吸収材を装着したことを特徴とする靴中敷き。
【手続補正２】
【補正対象書類名】明細書
【補正対象項目名】全文
【補正方法】変更
【補正の内容】
【発明の詳細な説明】
【技術分野】
【０００１】
本発明は、柔軟性と反発力と復元性とを有するプラスチック素材を使用し、荷重がかかった際に足のアーチを安定的に支えながらあらゆる方向に対して衝撃を緩和することができる靴中敷きに関する。
【背景技術】
【０００２】
従来から靴中敷きは、通気性、抗菌、防臭、衝撃吸収、快適なフィット感、アーチサポート、フレックス、反発性などの機能を発揮するものであるが、その中でも通気性、抗菌、防臭、衝撃吸収などの機能が重視されている。
また、クッション性、フィット性、安定性に優れた靴中敷きについては、以下に示すような先行技術が提案されている。
【０００３】
実開平７−３９５１１号公報には、靴内部に装着するカップインソールであって、弾性素材からなるカップインソール本体の底面は靴内底面にフィットする形状であり、踵部上面は、平坦部と、内甲踏まず部から踵後部を経て外甲側部へ至る側壁部が連続的に形成された凹曲面状を呈しており、前記側壁部の上面にはバウンシングパテを用いた衝撃緩衝材（スポンジ）が設置され、布帛、不織布、皮革、のいずれか一によって被覆係止された構成からなるカップインソールが開示されている（特許文献１）。
【０００４】
また、実開平６−２６５１１号公報には、多数の透孔を備えたスポンジ板を基板上に固着し、該スポンジ板上にはウレタンフォーム板を固着し、該ウレタンフォーム板上には多数の小孔を備えた表面カバーを被覆させた履物のインソールが開示されている（特許文献２）。
【０００５】
また、特開２００５−２０５２０４号公報には、足底を靴の中底に完全にフィットさせ、歩行時に足底に負荷される衝撃を緩衝させ踵骨の回外位と回内位を防止することを目的とし、カップインソールを本体部材、本体部材支持部材、踵部対応部材から構成し、カップインソールを高密度低反発性ウレタンで成形し、踵部対応部材の踵に相当する箇所に高反発性ウレタン製部品を嵌合し、本体部材の底部から、内側アーチ保護部材と、外側アーチ保護部材と、第２踵部保護部材それぞれ連結して一体に立設し、第２ミッドフット部対応部を、本体部材支持部材の左右両側から幅方向中央に向かって、且つ、踵方向及び踏み付け部の両方から中央に向かって盛高構造にし、第２ミッドフット部対応部に、垂直方向に貫通孔を有し本体部材に穿設した挿入孔に挿入される少なくとも１個の突起を突設させるカップインソールが開示されている（特許文献３）。
【０００６】
また、特開２００５−２０４９０２号公報には、運動性と衝撃緩和性とに優れたインソールであって、ベースと、このベースとは材質の異なる指球部及び踵部を備えており、この指球部の材質と踵部の材質とが互いに異なるインソールが開示されている（特許文献４）。
【０００７】
また、特開平１０−２９５４０９号公報には、靴の中敷きの通気性を向上させて足の蒸れをなくすることを目的とし、一層以上を積層したクッション材と、その表面に結合されたダブルラッセルメッシュ層とよりなり、特にクッション材は、足裏の凹凸に添った形状を有するエチレン−ビニルアセテート共重合体の層と、その表面に結合された発泡性ラテックス層と、さらにその表面に結合された開放気泡性のウレタンフォーム層とよりなる中敷きが開示されている（特許文献５）。
【０００８】
【特許文献１】実開平７−３９５１１号公報
【特許文献２】実開平６−２６５１１号公報
【特許文献３】特開２００５−２０５２０４号公報
【特許文献４】特開２００５−２０４９０２号公報
【特許文献５】特開平１０−２９５４０９号公報
【発明の開示】
【発明が解決しようとする課題】
【０００９】
従来の靴中敷きの材質には、クッション性に優れたスポンジ素材が多く使用されている。しかし、スポンジ素材はプラスチック素材と比べると柔軟性、反発力、復元性に劣るため、足の動きにマッチせず、運動を抑制する可能性があるという問題を有している。
ここで、靴中敷きの材質にプラスチック素材を使用するメリットは、足に密着し、靭帯や筋肉と協調的に動き、足の運動を抑制することなく働きかけるため、より自然な運動が行えることにある。しかし、プラスチック素材の厚みが厚過ぎると足の靭帯や筋肉を固定しすぎるため、運動を抑制してしまう。一方、プラスチック素材の厚みが薄過ぎると、プラスチックに強度が出ないため足をコントロールすることができなくなる。
【００１０】
そこで、本発明は、このような問題を解決するためになされたものであり、柔軟性と反発力と復元性とを有するプラスチック素材を使用し、荷重がかかった際に足のアーチを安定的に支えながらあらゆる方向に対して瞬間的に衝撃を吸収・緩和することができる靴中敷きを提供することを目的とする。
【課題を解決するための手段】
【００１１】
上記課題を解決するために、請求項１に記載の発明は、靴の内底部に装入されて使用される靴中敷きにおいて、前記靴中敷きの本体部の材質は柔軟性と反発力と復元性とを有するプラスチック素材を使用すると共に前記本体部の厚みを１．５ｍｍ〜３．０ｍｍの範囲に設定し、前記本体部をアーチコントロールができる形状に形成すると共に前記本体部の踵部分から土踏まず部分近傍に至るまでの下方領域に前記プラスチック素材からなるＵ字形縁部を備えた踵部を当該本体部と一体に形成し、前記Ｕ字形縁部の外側を水平方向に突出させて前記踵部下面を平面状に形成すると共に前記Ｕ字形縁部の水平方向に突出した縁部外側上面から本体部の踵部分の斜め下方向に傾斜する下面に繋がる領域に当該Ｕ字形縁部の一端から他端まで連続する溝部を周設した構成を採用したのである。
【００１２】
また、請求項２に記載の発明は、請求項１に記載の発明において、前記溝部に沿って衝撃吸収材を埋め込んだことを特徴とする
【００１３】
また、請求項３に記載の発明は、請求項１又は請求項２に記載の前記Ｕ字形縁部の平面状の踵部下面に当該Ｕ字形縁部の一端から他端まで連続する凹部を周設し、前記凹部の深さを２．０ｍｍ〜３．０ｍｍの範囲に設定し、前記凹部内に衝撃吸収材を装着したことを特徴とする。
【００１４】
また、請求項４に記載の発明は、請求項３に記載の前記凹部のインサイド側とアウトサイド側に硬さの異なった衝撃吸収材を装着したことを特徴とする。
【発明の効果】
【００１５】
以上のように、請求項１に記載の発明によれば、靴中敷きの本体部の材質は柔軟性と反発力と復元性とを有するプラスチック素材を使用し、本体部の厚みを１．５ｍｍ〜３．０ｍｍの範囲に設定し、本体部をアーチコントロールができる形状に形成したことにより、靴中敷きが足に密着し、靭帯や筋肉と協調的に動き、足の運動を抑制することなく働きかけるため、より自然な運動が行える。また、Ｕ字形縁部の外側を水平方向に突出させて踵部下面を平面状に形成したことにより、安定性に寄与するばかりでなく、この踵部を本体部の踵部分から土踏まず部分近傍に至るまでの下方領域をカバーするように本体部と同じプラスチック素材を使用し一体に形成し、Ｕ字形縁部の水平方向に突出した縁部外側上面から本体部の踵部分の斜め下方向に傾斜する下面に繋がる領域にＵ字形縁部の一端から他端まで連続する溝部を周設したことにより、荷重がかかった際に本体部によって足のアーチを安定的に支えながら溝部があらゆる方向（縦、横、斜め）に対して瞬間的に衝撃を吸収・緩和することができる。
【００１６】
また、請求項２に記載の発明によれば、溝部に沿って衝撃吸収材を埋め込んだことにより、衝撃吸収性と安定性が向上する。
【００１７】
また、請求項３に記載の発明によれば、Ｕ字形縁部の平面状の踵部下面に連続する凹部を周設し、凹部の深さを２．０ｍｍ〜３．０ｍｍの範囲に設定し、凹部内に衝撃吸収材を装着したことにより、安定感が高まり、歩行時に踵のぐらつきを抑えることで常に一定の歩行が可能になる。更に、請求項４に記載の発明によれば、凹部のインサイド側とアウトサイド側に硬さの異なった衝撃吸収材を装着したことにより、扁平足又はＯ脚、膝痛などに対して効果を奏する。
ここで、歩行バランスのコントロールについては、歩行前半（着地時）におけるコントロールと歩行後半（蹴りだし時）におけるコントロールの大きく２つに分けられる。本願出願人は歩行後半（蹴りだし時）におけるコントロールに寄与する「靴中敷き」を既に発明し特許を取得している（特許第３６６２０１４号、登録日平成１７年４月１日）。一方、本発明にかかる靴中敷きは、歩行前半（着地時）におけるコントロールに寄与するものであり、足の大きな骨格に荷重がもっともかかりやすい着地時に影響を与えるため、歩行後半（蹴りだし時）よりも歩行バランスのコントロール効果が大きい。
【発明を実施するための最良の形態】
【００１８】
以下、本発明の実施の一形態について、図面を参酌しながら説明する。
【００１９】
図１は、本発明にかかる靴中敷き（左足用）の一例を示す斜視図である。
【００２０】
図１に示すように、本発明にかかる靴中敷きは、本体部１０の踵部分から土踏まず部分近傍に至るまでの下方領域にＵ字形縁部を備えた踵部２０が本体部１０と一体に形成されている。本体部１０と踵部２０の材質には、柔軟性と反発力と復元性とを有するプラスチック素材が使用される。
【００２１】
図２は、図１に示す靴中敷きの底面図である。図３は、図２に示す靴中敷きのＡ−Ａ拡大断面図である。図４は、図２に示す靴中敷きのＢ−Ｂ断面図である。図５は、図１に示す靴中敷きのアウトサイド側の側面図である。図６は、図１に示す靴中敷きのインサイド側の側面図である。
【００２２】
図３乃至図６に示すように、本発明にかかる靴中敷きは、本体部１０の厚みが１．５ｍｍ〜３．０ｍｍの範囲に設定されている。本体部１０の足裏にあたる表面がアーチコントロールできる形状（インサイド側の縁部１１ａからアウトサイド側の縁部１１ｂにわたり足のアーチを支えて足に密着する形状）に形成されている。
踵部２０は、Ｕ字形縁部の外側（側面２１）を水平方向に突出させて踵部下面が平面状に形成されている。また、踵部２０のＵ字形縁部の水平方向に突出した縁部外側（側面２１）上面から本体部１０の踵部分の斜め下方向に傾斜する下面に繋がる領域にＵ字形縁部の一端から他端まで連続する溝部２２が周設されている。この溝部２２によって、あらゆる方向（縦、横、斜め）に対して瞬間的に衝撃を吸収・緩和することができる。
また、溝部２２には、衝撃吸収性と安定性を向上させるため衝撃吸収材（図示省略）を埋め込んでも良い。
踵部２０のＵ字形縁部の底面（平面状の踵部下面）には、Ｕ字形縁部の一端から他端まで連続する凹部２３が周設されている。凹部２３の深さが２．０ｍｍ〜３．０ｍｍの範囲に設定されている。
上記凹部２３内には、衝撃吸収材（図７に示す記号３０・３１、図８に示す記号３２・３３）が装着される。これにより、安定感が高まり、歩行時に踵のぐらつきを抑える。歩行時の足裏の重心位置を考えた場合、衝撃吸収材を図に示す位置に装着するのが最も効果を奏すると考えられる。
上記衝撃吸収材は、ポリウレタン、ゴム、ラバー、ＥＶＡスポンジなど衝撃吸収効果を奏するものであれば素材は限定されない。
また、図７及び図８に示すように、凹部２３のインサイド側とアウトサイド側には、バランスを変化させるため硬さの異なった衝撃吸収材（ハード素材３０とソフト素材３１、ソフト素材３２とハード素材３３）を装着しても良い。
【００２３】
（第一実施例）
本体部１０の踵部分にＵ字形縁部を備えた踵部２０が本体部１０と一体に形成されている。本体部１０と踵部２０の材質には、柔軟性と反発力と復元性とを有するプラスチック素材が使用される。本体部１０の厚みが１．５ｍｍ〜３．０ｍｍの範囲に設定されている。本体部１０の足裏にあたる表面がアーチコントロールできる形状に形成されている。
踵部２０のＵ字形縁部の側面２１から本体部１０の踵部分の下面に繋がる領域にＵ字形縁部の一端から他端まで連続する溝部２２が周設されている。この溝部２２によって、あらゆる方向（縦、横、斜め）に対して瞬間的に衝撃を吸収・緩和することができる。
【００２４】
（第二実施例）
第一実施例と同様に連続する溝部２２が周設され、この溝部２２に衝撃吸収材（図示省略）が埋め込まれている。この溝部２２と衝撃吸収材によって、衝撃吸収性と安定性が向上する。
【００２５】
（第三実施例）
第一実施例又は第二実施例において説明した靴中敷きの踵部２０のＵ字形縁部の底面には、Ｕ字形縁部の一端から他端まで連続する凹部２３が周設されている。凹部２３の深さが２．０ｍｍ〜３．０ｍｍの範囲に設定されている。この凹部２３内には衝撃吸収材（図７に示す記号３０・３１）が装着される。
インサイド側の凹部２３（図３に示す記号２３ａ）にハード素材からなる衝撃吸収材（図７に示す記号３０）を装着する。一方、アウトサイド側の凹部２３（図３に示す記号２３ｂ）にソフト素材からなる衝撃吸収材（図７に示す記号３１）を装着する。この場合、インサイド側のアーチサポートが強くなり膝が内側に内転することが抑えられるため、扁平足や膝痛などに対して効果を奏する。
ここで、ソフト素材とは、衝撃吸収性に非常に優れ、足の沈み込みを感じる素材を指す。また、ハード素材とは、足に負担をかけない程度に反発力があり、足を下から支える感じがある素材を指す。また、ソフト素材とハード素材の硬度に関しては、ソフト素材の硬度はＡＳＴＭ（Ａｍｅｒｉｃａｎ  Ｓｏｃｉｅｔｙ  Ｆｏｒ  Ｔｅｓｔｉｎｇ  ａｎｄ  Ｍａｔｅｒｉａｌｓ、米国材料試験協会の略称）規格に基づくＡＳＴＭＤ２２４０のスケールで５５〜７５度であることが適している。一方、ハード素材の硬度は、同スケールで６０〜８０度であることが適している。したがって、ソフト素材とハード素材の硬度差は同スケールで少なくとも５度以上であることが好ましい。なお、上記スケールに使用した具体的な計測器は、米国のＰａｃｉｆｉｃ  Ｔｒａｎｓｄｕｃｅｒ  Ｃｏｒｐ．製のＤｕｒｏｍｅｔｅｒｓ／ＰＴＣ（登録商標）４００ＳＥＲＩＥＳ／Ｍｏｄｅｌ４１１／Ｔｙｐｅ００である。
【００２６】
（第四実施例）
第一実施例又は第二実施例において説明した靴中敷きの踵部２０のＵ字形縁部の底面には、Ｕ字形縁部の一端から他端まで連続する凹部２３が周設されている。凹部２３の深さが２．０ｍｍ〜３．０ｍｍの範囲に設定されている。この凹部２３内には衝撃吸収材（図８に示す記号３２・３３）が装着される。
アウトサイド側の凹部２３（図３に示す記号２３ｂ）にハード素材からなる衝撃吸収材（図８に示す記号３３）を装着する。一方、インサイド側の凹部２３（図３に示す記号２３ａ）にソフト素材からなる衝撃吸収材（図８に示す記号３２）を装着する。この場合、アウトサイド側のアーチサポートが強くなり膝が外側に外転することが抑えられるため、Ｏ脚や膝痛などに対して効果を奏する。
また、ソフト素材とハード素材の硬度に関しては、第三実施例と同様にそれぞれの硬度範囲内のものを適宜選択できるが、ソフト素材とハード素材の硬度差は同スケールで少なくとも５度以上であることが好ましい。
【図面の簡単な説明】
【００２７】
【図１】本発明にかかる靴中敷き（左足用）の一例を示す斜視図である。
【図２】図１に示す靴中敷きの底面図である。
【図３】図２に示す靴中敷きのＡ−Ａ拡大断面図である。
【図４】図２に示す靴中敷きのＢ−Ｂ断面図である。
【図５】図１に示す靴中敷きのアウトサイド側の側面図である。
【図６】図１に示す靴中敷きのインサイド側の側面図である。
【図７】図１に示す靴中敷きのインサイド側の凹部にハード素材、アウトサイド側の凹部にソフト素材を装着した状態を示す斜視図である。
【図８】図１に示す靴中敷きのインサイド側の凹部にソフト素材、アウトサイド側の凹部にハード素材を装着した状態を示す斜視図である。
【符号の説明】
【００２８】
１０  本体部
１１  縁部
２０  踵部
２１  側面
２２  溝部
２３  凹部
３０、３３  ハード素材
３１、３２  ソフト素材